(57)【特許請求の範囲】
【請求項１】
基材上に偽造防止部材の設けられた偽造防止媒体の識別方法であって、
前記偽造防止部材は、少なくとも金属反射層が設けられた転写箔若しくはシール形状の部材であり、前記金属反射層には、幅および高さが０．２５ｍｍ以下の微小文字または記号状に金属が除かれた部分が等間隔に配置されており、さらに前記微小文字または記号の集合体の配列によって文字または記号が形成されており、
前記偽造防止媒体において、前記偽造防止部材が添付されている部分に光をかざすことにより前記微小文字または記号で形成された集合体による文字または記号が出現し、かつ前記微小文字または記号の配列間隔と同じピッチで構成された凸レンズアレイを重ねることで、前記微小文字または記号が拡大されて出現することを特徴とする偽造防止媒体の識別方法。
【発明の詳細な説明】
【技術分野】
【０００１】
本発明は、偽造防止策が必要な媒体に適用して好適な偽造防止部材が貼付された偽造防止媒体の識別方法に関する。
【背景技術】
【０００２】
近年、電子写真技術を利用した複写機が普及し、これを利用して誰でも簡単に紙などに印刷された文字や画像を複写することができるようになった。特に最近のカラーデジタル複写機によれば、原稿か複写物か見分けが極めて困難な複写物さえも容易に作成することができるようになった。
【０００３】
そのため、カラー複写機では再現不可能な特殊部分を有価証券など偽造防止が必要な媒体に設けておく技術が提案されている。このうち、ホログラム箔などのＯＶＤ（Optical Variable Device）箔（特許文献１、２参照）を有価証券等の表面上に設ける技術が既に実用化されている。これによれば、ホログラムの銀面の光が鏡面反射するため、Ｙ（イエロー）、Ｍ（マジェンダ）、Ｃ（シアン）のカラートナーの掛け合わせでは再現できず、原稿で銀面だった部分が複写物では黒色に再現されるもの、あるいは、屈折率の異なるセラミックを適当な膜厚を持つ複数層に積層すると、見る角度によって色が変化する特殊な光学薄膜が形成され（特許文献１参照）、かかる性質は、複写物では得ることができないので、容易に真偽判定が可能であるもの、さらにまた、この方法で形成された薄膜を鱗片状に砕き、この破片をインキバインダーに混入して印刷を行う方法も提案されている。
【０００４】
しかしながら、ホログラムはエンボス技術が発達したため、レリーフ型の回折光を用いた反射層の形成が以前より低難易度化していること、及び多層膜フィルムが一般の包装用フィルムとして販売され始めたことなどから、偽造防止効果が低下してきた。
【０００５】
この為、近年のホログラムでは、回折光を発生させる領域を部分的に備え、例えば、ホログラムによるマイクロ文字やマイクロパターンを表現することで、偽造防止効果を向上させる方法が提案されている（特許文献２参照）。
【０００６】
このような回折光を発生させる領域を部分的に備えるホログラムは、一般的にレリーフ型の回折構造に対し、パターン状の金属等の反射層を設ける方法で製造される。金属等の反射層のパターン化は、下記の４種の方法が一般的である（特許文献３参照）。
【０００７】
１）水洗インキを基材状にポジパターンで印刷し、マスク剤で印刷されていない部分を腐食剤で腐食させることによりパターンを形成するエッチング加工。  
２）金属反射層上にマスク剤をポジパターンで印刷し、マスク剤で印刷されていない部分を腐食剤で腐食させることによりパターンを形成するエッチング加工。  
３）金属反射層の除去したい部分に強いレーザーを当てて金属等の反射層を選択的に破壊することによりパターンを形成するレーザー加工。  
４）金属反射層上にフォトレジスト剤を全面に印刷し、ポジパターンでフォトレジストした後、ネガパターン部のフォトレジスト剤を溶解除去し、同時に、または別工程で金属反射層を腐食させることによりパターンを形成するフォトレジスト加工。  
しかしながら、上記のようにパターン状の金属等の反射層の作製方法は様々なものがあることより、パターン形成による偽造防止効果が向上したとは一概に言えない。
【０００８】
一方、紙等の基材に微小な孔を開け、微小孔を一定間隔の集合体としてパターン状に形成することにより、見た目では孔が見え難いが、光をかざしてみると微小孔を通して見える光が拡散し、形成されたパターンを目視にて見ることができる。微小孔を基材に開けるためには、針若しくはレーザーを用いるため、孔の形状は通常円形若しくは楕円形となるが、照射するレーザー光にマスクをすることで、任意の形状の孔を開け、それをルーペで見て真偽判定する方法がある（特許文献４参照）。
【０００９】
しかしながら、この方法において真偽判定にルーペを使う必要があり、特殊形状を施した目視ではわからない大きさの微小孔をルーペで見て形状を判断するためには、時間と技術が必要となり、作業に煩雑さを伴う。
【先行技術文献】
【特許文献】
【００１０】
【特許文献１】特開２００４−５０５１５８号公報
【特許文献２】特開２００５−９９０９０号公報
【特許文献３】特開２００３―２５５１１５号公報
【特許文献４】特開２００２−２５４８６８号公報
【発明の概要】
【発明が解決しようとする課題】
【００１１】
本発明は、偽造防止部材を適用した媒体の真偽判定を比較的簡単に実施できる偽造防止媒体の識別方法を提供することを目的とする。
【課題を解決するための手段】
【００１５】
上記課題を達成すべくなされた請求項１に係る発明は、基材上に偽造防止部材の設けられた偽造防止媒体の識別方法であって、前記偽造防止部材は、少なくとも金属反射層が設けられた転写箔若しくはシール形状の部材であり、前記金属反射層には、幅および高さが０．２５ｍｍ以下の微小文字または記号状に金属が除かれた部分が等間隔に配置されており、さらに前記微小文字または記号の集合体の配列によって文字または記号が形成されており、前記偽造防止媒体において、前記偽造防止部材が添付されている部分に光をかざすことにより前記微小文字または記号で形成された集合体による文字または記号が出現し、かつ前記微小文字または記号の配列間隔と同じピッチで構成された凸レンズアレイを重ねることで、前記微小文字または記号が拡大されて出現することを特徴とする。
【発明の効果】
【００１６】
本発明によれば、偽造防止部材を適用した媒体の真偽判定を比較的簡単に実施できる偽造防止媒体の識別方法を提供することができる。
【００１７】
偽造防止媒体において基材上に貼付された偽造防止部材は、見た目は金属光沢がある回折格子状のパッチ若しくはストライプであるが、光をかざして見ると金属光沢が除かれた微小孔から光が漏れて、通常では見えない微小孔が文字若しくは記号のパターンとして認識され、さらにこの状態で微小孔の配列と同じピッチで並べられたマイクロレンズアレイフィルムを重ねると、微小孔が形成している文字若しくは記号等の模様が浮かび上がる。これにより、簡単な検証方法による真偽判定を可能にし、さらに簡単な検証器を用いるこ
とで、さらなる真偽判定を可能にして、転写箔やシールとして、有価証券や証書に添付し、セキュリティを向上させることができる。
【図面の簡単な説明】
【００１８】
【図１】本発明の実施形態にて用いられる偽造防止部材の一例を一部を拡大して示す平面図。
【図２】上記実施形態にて用いられる偽造防止部材を有価証券に貼付した一例を示す平面図。
【図３】図２に示す偽造防止媒体の真偽判定方法を説明するための概略図。
【図４】上記実施形態に係る偽造防止部材の真偽判定に使用する検証フィルムの構造を示した概念図。
【図５】図２に示す偽造防止媒体の真偽判定方法を説明するための概略図。
【発明を実施するための形態】
【００１９】
以下図面を参照して本発明の実施形態を説明する。
【００２０】
本発明に用いられる偽造防止部材の一形態は、金属反射層を有する転写箔若しくはシール形状の偽造防止部材であり、図１に示した偽造防止部材１は、金属蒸着部１２および窓開き部１３から構成されている。さらに部材の形態によって、金属蒸着部１２の上面若しくは下面に回折格子層、剥離保護層、粘着層若しくは接着層が設けることもできる（図示せず）。偽造防止部材１中に設けられた窓開き部１３は、図１の拡大図で示したように文字若しくは記号を形成しており、かつ窓開き部１３は一定間隔で整列している。さらに整列された窓開き部１３は偽造防止部材１の中でさらに文字若しくは記号を形成している。
【００２１】
窓開き部１３の形成方法は、従来の技術で説明した方法の他に、例えば特開２００９−６３７０３号公報に記載のように、微細隆起構造部を設けることにより撥水性を高めてマスク層が形成されない部分を作り、金属蒸着部１２をエッチングする方法もある。
【００２２】
窓開き部１３の一つの文字または記号の大きさは幅、高さ共に０．２５ｍｍ以下であり、これ以上大きい場合、目視でも窓開き部１３が視認できてしまうため、信頼性の高い偽造防止効果が期待できない。逆に小さすぎる場合、強い光を照射しないと光が漏れてこないことより偽造防止部材１に隠された文字が出現しないか、金属蒸着部１２が強い光のため遮蔽ができず、偽造防止部材１に隠された文字が視認できなくなる可能性がある。従って、窓開き部１３の一つの大きさは、幅、高さ共に０．０２〜０．２５ｍｍの範囲であることが好ましい。
【００２３】
本発明に用いられる偽造防止部材の他の形態は、図１に示した偽造防止部材１において、金属蒸着部１２が回折格子となっているものである。回折格子を設けることで、目視による真偽判定機能も加わり、より偽造防止効果が高くなる。この回折格子として、レリーフ型エンボスホログラムが一般的に用いられているが、それ以外の方法でも目視による偽造防止効果が出るものであればよい。
【００２４】
本発明に用いられる偽造防止媒体の一形態は、図２に示した偽造防止媒体２において、基材上に印刷部２１が設けられ、かつ偽造防止部材１が貼付された形態となっている。基材は、紙、プラスチックシート、ガラス、木材、ゴム等の単独若しくは組み合わせであれば特に指定はないが、真偽判定する際に基材の裏面から光を照射した際に表側に光が見え
るものである必要がある。
【００２５】
本発明の実施形態は、図３および図５に示した偽造防止媒体２の真偽判定方法についてである。偽造防止媒体２は、通常の目視で見た場合、偽造防止部１は金属光沢若しくはホログラム等の回折格子を成した箔若しくはシールであり、目視による真偽判定が可能なものである。しかしながら従来の技術で説明したとおり、回折格子の製造が低難易度化していることより、さらなる真偽判定手段として、偽造防止媒体２は図３に示したような方法で真偽判定が可能である。図３において、偽造防止媒体２の裏面から光源３１を照射する。その際、偽造防止部１の窓開き部１３から光が漏れて金属蒸着部１２との間で明暗のコントラストができ、窓開き部１３で形成された文字パターンが出現する（裏面から光を当てた状態の見え方１３ａ）。裏面を照射する光源３１が無い場合、室内の照明や太陽光で代用することもできる。
【００２６】
また、図４は偽造防止媒体２のさらなる真偽判定を行う際に使用する検証フィルム４の概略図を示したもので、検証フィルム４の表面はある一定間隔で敷き詰められた凸レンズアレイ４１で形成されている。この凸レンズアレイ４１のピッチと窓開き部１３のピッチを一致させることで、特許第２７６１８６１号明細書や特許第４９０７０４９号明細書で紹介されているような現象が起こり、図５に示したように窓開き部１３の形状が拡大されて目視で見えるようになる（検証フィルム４を重ね、裏面から光を当てた状態の見え方１３ｂ）。この窓開き部１３の形状は、ルーペで拡大してみることもできるが、ピント合わせ等に時間がかかるため、一度に大量には検証できないが、本方式をとれば、比較的短時間に真偽判定が可能となる。
【実施例１】
【００２７】
１２μｍ厚の透明ＰＥＴ基材上にポリウレタン系樹脂を乾燥膜厚２μｍ塗工し、ホログラム形成層を作製した。次いで、ロールエンボス法により、レリーフ構造形成層の表面に回折格子を形成してホログラムエンボスを得た。次に真空蒸着法により純アルミを８０ｎｍ蒸着した。このアルミ蒸着層を、ＹＡＧレーザーにて文字高さ７５μｍ、線幅１０μｍでアルミを飛ばし、“￥”のマークを形成した。このマークを上下方向および左右方向で１５０μｍピッチで形成し、また全体としては“Ｔ”の文字を形成し、その上からアクリル系粘着層を乾燥膜厚２０μｍ塗布し、所定の大きさに切り、１００ｇ／ｍ2厚の上質紙に絵柄が印刷された印刷物上に貼付して偽造防止媒体を得た。
【００２８】
実施例１の偽造防止媒体は、目視ではホログラムパッチが施されており、これにより真偽判定ができるが、この偽造防止媒体の裏面から光を照射すると、目視ではわからなかったホログラム上の窓開き部から光が漏れて、“Ｔ”の文字が視認できた。さらに裏面から光を当てた状態で、１５０μｍピッチの凸レンズアレイがエンボスされた検証フィルムを重ねると、“￥”の文字が拡大されて視認できた。
【産業上の利用可能性】
【００２９】
本発明は、偽造防止媒体において、目視による真偽判定の他に、複数の検証方法が可能な偽造防止媒体の識別方法を提供する。
【００３０】
目視での検証の他、簡単な方法でさらなる真偽判定ができることより、より一層の偽造防止効果が期待できる。
【符号の説明】
【００３１】
１…偽造防止部材、２…偽造防止媒体、４…検証フィルム、１２…金属蒸着部、１３…窓開き部、１３ａ…裏面から光を当てた状態の見え方、１３ｂ…検証フィルムを重ね、裏面から光を当てた状態の見え方、２１…印刷部、３１…光源、４１…凸レンズアレイ。
【図１】
0005935429.tif 000002
【図２】
0005935429.tif 000003
【図３】
0005935429.tif 000004
【図４】
0005935429.tif 000005
【図５】
0005935429.tif 000006